(57)【要約】【課題】これまでやむを得ないとされてきた落下雨水の跳ねや泥跳ねはほとんどなくなり、土台部や外壁部を雨で汚すことが簡単に防止できることとなり、しかも取り付けも簡単に行え、量産性に秀れると共に、軽量で運搬・梱包も容易で、製作コストもかからず安価に提供できるなど極めて商品価値の高い画期的な仮設縦樋を実現でき、また前記問題を生じない画期的な縦樋の施工方法を実現すること。【解決手段】雨樋１の集水部２に縦樋を垂下設置する前にこの縦樋の替わりに垂設する仮設縦樋であって、雨水を導水する長尺な柔軟性を有する樹脂製筒状シート３で構成し、この樹脂製筒状シート３の端部に、前記雨樋１の集水部２に連通垂下する短尺な取付パイプ４に被嵌止めし得る取付被嵌部５を設け、この樹脂製筒状シート３の長さを、この端部の取付被嵌部５を前記取付パイプ４に被嵌止めした際、地面に近接若しくは地面に接する長さ以上の長さに設定した仮設縦樋。【選択図】        図３
2004150213.tif 000002
【特許請求の範囲】
【請求項１】
雨樋の集水部に縦樋を垂下設置する前にこの縦樋の替わりに垂設する仮設縦樋であって、雨水を導水する長尺な柔軟性を有する樹脂製筒状シートで構成し、この樹脂製筒状シートの端部に、前記雨樋の集水部に連通垂下する短尺な取付パイプに被嵌止めし得る取付被嵌部を設け、この樹脂製筒状シートの長さを、この端部の取付被嵌部を前記取付パイプに被嵌止めした際、地面に近接若しくは地面に接する長さ以上の長さに設定したことを特徴とする仮設縦樋。
【請求項２】
雨樋の集水部に縦樋を垂下設置する前にこの縦樋の替わりに垂設する仮設縦樋であって、雨水を導水する長尺な柔軟性を有する樹脂製筒状シートで構成し、この樹脂製筒状シートの筒径を、前記雨樋の集水部に連通垂下する短尺な取付パイプの径より大きくしてこの取付パイプに被嵌し得るように設定し、この樹脂製筒状シートの長さをこの端部を前記取付パイプに被嵌止めした際、地面に近接若しくは地面に接する長さ以上の長さに設定したことを特徴とする仮設縦樋。
【請求項３】
前記樹脂製筒状シートは、二枚重合した偏平な両端が開口した長尺袋状体に構成し、この重合シート間を雨水が流れ落ちるように構成したことを特徴とする請求項１，２のいずれか１項に記載の仮設縦樋。
【請求項４】
少なくとも前記樹脂製筒状シートの端部の筒径を、前記雨樋の集水部に連通垂下する短尺な取付パイプの径より大きくしてこの取付パイプに被嵌し得るように設定し、この樹脂製筒状シートの端部に着脱止着自在な雌雄テープを設けて、この雌雄テープを引き寄せ止着することでこの樹脂製筒状シートの端部の筒径を狭めて前記取付パイプに被嵌止めし得るように構成したことを特徴とする請求項１〜３のいずれか１項に記載の仮設縦樋。
【請求項５】
前記樹脂製筒状シートの途中位置に、この樹脂製筒状シートを吊り支持するための吊孔を設けたことを特徴とする請求項１〜４のいずれか１項に記載の仮設縦樋。
【請求項６】
前記樹脂製筒状シートの途中位置に前記吊孔を有する吊支持部材を付設したことを特徴とする請求項５記載の仮設縦樋。
【請求項７】
前記樹脂製筒状シートの端部に、前記雨樋の集水部に垂下する前記取付パイプを被嵌止めしたことを特徴とする請求項１〜６のいずれか１項に記載の仮設縦樋。
【請求項８】
前記短尺な取付パイプは、下端部が側方に屈曲したＬ字状パイプとし、この取付パイプの下端部の屈曲部分毎前記樹脂製筒状シートの端部を被嵌止めするように構成したことを特徴とする請求項１〜７のいずれか１項に記載の仮設縦樋。
【請求項９】
請求項１〜８のいずれか１項に記載の樹脂製筒状シートを用いる縦樋施工方法であって、雨樋の集水部に縦樋を垂下設置する前に雨水を導水する前記長尺な柔軟性を有する樹脂製筒状シートの端部を、雨樋の集水部に連通垂下する短尺な取付パイプに被嵌止めし、この樹脂製筒状シートの長さをこの端部を前記取付パイプに被嵌止めした際、地面に近接若しくは地面に接する長さ以上の長さに設定して、雨樋の雨水を前記樹脂製筒状シートの末端より所望の場所へ導出排水させ、縦樋を設ける家屋の外壁が仕上がった後、この樹脂製筒状シートを取り外して縦樋を雨樋の集水部と連通させて外壁に設置することを特徴とする縦樋施工方法。
【発明の詳細な説明】
【０００１】
【発明の属する技術分野】
本発明は、これまでにない仮設の縦樋並びにこの仮設縦樋を用いた縦樋の施工方法に関するものである。
【０００２】
【従来の技術及び発明が解決しようとする課題】
家屋等の建築では、土台、柱・梁を組んで構造体を建築し、屋根を構築して軒先に雨樋を付設し、外壁を仕上げた後、この雨樋の集水部（受けますや飾ります等）と連通する縦樋を外壁に付設（設置）する。
【０００３】
即ち、縦樋は外壁部に外壁材を付設して外壁を仕上げた後に設置するもので、外壁が仕上がるまでは雨樋は付設されているが、縦樋はまだ設置できない。
【０００４】
しかし、屋根ができ、軒先に雨樋を付設した後、直ぐに外壁を仕上げることはできず、通常数日以上はかかるため、その間は縦樋がないままとなっている。
【０００５】
そのため、それまでの間に雨が降ると、その雨水は雨樋の集水部からそのまま下方へ落下し、施工途中の外壁部付近の地面に落ちその周辺を汚している。
【０００６】
即ち、建築途中であるため家屋周辺は剥き出しの地面であることが多く、この地面に雨水が高所からまとまって次々とたたきつけるように落下し続けるために、地面を汚すだけでなく、そこへ次々と雨水が落下するため泥が跳ね、外壁部や土台部を雨水や雨水による泥跳ねで汚してしまう。
【０００７】
この汚れは後日外壁材を張り外壁を仕上げれば見えない部分とはなるものの、施主がこれを見れば不快であり、またこの雨水や泥跳ねで土台が傷んだり、高価な柱が汚れたり傷んだりする懸念にかかられてしまうことは必定であった。
【０００８】
これをできるだけ避けるため、集水部にＬ字状の短尺な取付パイプを取り敢えず差し込んでおき、Ｌ字状の外方側への水平突出部より雨水を落下させることで、少しでも外壁部から離れた位置に雨水を落下させることで泥跳ねによる問題の軽減を図っているが、この場合でも土台部や外壁部が雨水や泥の跳ねによって汚れることは防げてはいない。
【０００９】
また、この雨水が直に落下する騒音も無視できない。
【００１０】
また、外壁材を張る前の外壁部に縦樋取付金具を打ち込んで縦樋を一旦仮付けすることも考えられるが、雨対策のためにわざわざ縦樋を取り付け、外壁材を張るときにはこれを速やかに取り外し、外壁材を張って仕上げた後再び改めて縦樋を取り付けることは二度手間であり現実なされてはいない。
【００１１】
従って、現状では前述したようにわずかな跳ねであれば外壁材を張れば見えない部分であり、雨も幾日も降り続けるわけではないことから、土台部や外壁部の泥汚れや騒音などはいたしかたなしとしてこのような問題から目をそむけているのが現状であった。
【００１２】
本発明は、このような現状に着目し、簡単な手法でコストアップともならず、施工も簡単にして前記問題を解決できるこれまでにない画期的な仮設縦樋を実現し、これまでの前記問題を生じない画期的な縦樋の施工方法を提供することを目的としている。
【００１３】
【課題を解決するための手段】
添付図面を参照して本発明の要旨を説明する。
【００１４】
雨樋１の集水部２に縦樋を垂下設置する前にこの縦樋の替わりに垂設する仮設縦樋であって、雨水を導水する長尺な柔軟性を有する樹脂製筒状シート３で構成し、この樹脂製筒状シート３の端部に、前記雨樋１の集水部２に連通垂下する短尺な取付パイプ４に被嵌止めし得る取付被嵌部５を設け、この樹脂製筒状シート３の長さを、この端部の取付被嵌部５を前記取付パイプ４に被嵌止めした際、地面に近接若しくは地面に接する長さ以上の長さに設定したことを特徴とする仮設縦樋に係るものである。
【００１５】
また、雨樋１の集水部２に縦樋を垂下設置する前にこの縦樋の替わりに垂設する仮設縦樋であって、雨水を導水する長尺な柔軟性を有する樹脂製筒状シート３で構成し、この樹脂製筒状シート３の筒径を、前記雨樋１の集水部２に連通垂下する短尺な取付パイプ４の径より大きくしてこの取付パイプ４に被嵌し得るように設定し、この樹脂製筒状シート３の長さをこの端部を前記取付パイプ４に被嵌止めした際、地面に近接若しくは地面に接する長さ以上の長さに設定したことを特徴とする仮設縦樋に係るものである。
【００１６】
また、前記樹脂製筒状シート３は、二枚重合した偏平な両端が開口した長尺袋状体に構成し、この重合シート間を雨水が流れ落ちるように構成したことを特徴とする請求項１，２のいずれか１項に記載の仮設縦樋に係るものである。
【００１７】
また、少なくとも前記樹脂製筒状シート３の端部の筒径を、前記雨樋１の集水部２に連通垂下する短尺な取付パイプ４の径より大きくしてこの取付パイプ４に被嵌し得るように設定し、この樹脂製筒状シート３の端部に着脱止着自在な雌雄テープ６を設けて、この雌雄テープ６を引き寄せ止着することでこの樹脂製筒状シート３の端部の筒径を狭めて前記取付パイプ４に被嵌止めし得るように構成したことを特徴とする請求項１〜３のいずれか１項に記載の仮設縦樋に係るものである。
【００１８】
また、前記樹脂製筒状シート３の途中位置に、この樹脂製筒状シート３を吊り支持するための吊孔７を設けたことを特徴とする請求項１〜４のいずれか１項に記載の仮設縦樋に係るものである。
【００１９】
また、前記樹脂製筒状シート３の途中位置に前記吊孔７を有する吊支持部材８を付設したことを特徴とする請求項５記載の仮設縦樋に係るものである。
【００２０】
また、前記樹脂製筒状シート３の端部に、前記雨樋１の集水部２に垂下する前記取付パイプ４を被嵌止めしたことを特徴とする請求項１〜６のいずれか１項に記載の仮設縦樋に係るものである。
【００２１】
また、前記短尺な取付パイプ４は、下端部が側方に屈曲したＬ字状パイプとし、この取付パイプ４の下端部の屈曲部分毎前記樹脂製筒状シート３の端部を被嵌止めするように構成したことを特徴とする請求項１〜７のいずれか１項に記載の仮設縦樋に係るものである。
【００２２】
また、請求項１〜８のいずれか１項に記載の樹脂製筒状シート３を用いる縦樋施工方法であって、雨樋１の集水部２に縦樋を垂下設置する前に雨水を導水する前記長尺な柔軟性を有する樹脂製筒状シート３の端部を、雨樋１の集水部２に連通垂下する短尺な取付パイプ４に被嵌止めし、この樹脂製筒状シート３の長さをこの端部を前記取付パイプ４に被嵌止めした際、地面に近接若しくは地面に接する長さ以上の長さに設定して、雨樋１の雨水を前記樹脂製筒状シート３の末端より所望の場所へ導出排水させ、縦樋を設ける家屋の外壁が仕上がった後、この樹脂製筒状シート３を取り外して縦樋を雨樋１の集水部２と連通させて外壁に設置することを特徴とする縦樋施工方法に係るものである。
【００２３】
【発明の実施の形態】
好適と考える本発明の実施の形態（発明をどのように実施するか）を、図面に基づいてその作用効果を示して簡単に説明する。
【００２４】
屋根を構築し軒先に雨樋１を横設したが、また外壁を仕上げていなく縦樋を設置できない間、あるいはリフォーム時など縦樋を取り外し外壁を修理・取り替えする間、雨樋１の集水部２に短尺な取付パイプ４を取り付けのための部材として差し込み固定すると共に、この取付パイプ４に長尺な柔軟性を有する樹脂製筒状シート３の端部を取付パイプ４に被嵌止めして、この樹脂製筒状シート３を雨樋１と連通状態にして吊り下げ、この樹脂製筒状シート３の末端を地面近傍までそのまま垂れ下げるか、垂れ下げ接地させるか、あるいは所望の場所へ位置させ、雨樋１の雨水を前記樹脂製筒状シート３を介してこの末端より所望の場所へ導出排水させる。
【００２５】
そして縦樋を設ける家屋の外壁が仕上がった後、この樹脂製筒状シート３を取り外して縦樋を雨樋１の集水部２と連通させて外壁に設置する。
【００２６】
このようにすることで、やむを得ないとされてきた落下雨水の跳ねや泥跳ねはほとんどなくなり、土台部や外壁部を雨で汚すことが簡単に防止できることとなる。
【００２７】
即ち、例えば樹脂製筒状シート３を地面に接地させることで折り曲げるか、単に吊り下げずに途中で持ち上げ（吊り下げ支承）するか、あるいは例えば樹脂製筒状シート３を膨れた筒状とせず、二枚重合した偏平な両端が開口した長尺袋状体に構成し、この重合シート間を雨水が流れ落ちるように構成することにより、雨水は取付パイプ４から直に直接地面へ落下することなく、樹脂製筒状シート３内に必ず触れつつ（伝え）落下するため雨滴の落下速度は自由落下に比して弱まり、たとえ樹脂製筒状シート３の末端から地面へ排水されても雨水が跳ねたり、泥が跳ねたりすることはない。
【００２８】
従って、このように本発明は樹脂製筒状シート３の末端は必ずしも地面に接しなくても良いが、地面に十分に接する程長くして地面に折れて接するようにし、地面に雨水が強く落下しないようにする方が望ましく、また、更に長くして排水溝などの排水させたい場所まで導けるように長いものとしても良い。
【００２９】
また、末端が長く地面に折れ曲がり接地している方が前述のように泥跳ねがほとんど生じないし、また風によるバタ付きも軽減できることとなる。
【００３０】
また、この風のバタ付きや、あるいは所望の場所へ樹脂製筒状シート３を配設し得るように吊支持部材８などを介して樹脂製筒状シート３に吊孔７を設け、この吊孔７を適宜な箇所に引っ掛けて支持したり、あるいはワイヤーやロープをこの吊孔７に通して吊り上げ支持できるようにしても良い。
【００３１】
また、不必要に長い場合は、これに応じて十分と思われる長さにその場で簡単に切断でき、また粘着テープや雌雄テープなどにより継合連結して所望の長さに延長できるように構成しても良い。
【００３２】
また、本発明は、雨樋１の集水部２に垂下する取付パイプ４に樹脂製筒状シート３を被嵌止めし得るように構成することで樹脂製筒状シート３の取り付けが非常に簡単に行える。
【００３３】
即ち、例えば予め樹脂製筒状シート３の端部に取付パイプ４を被嵌止めしておき、この取付パイプ４を集水部２に差し込み連結することで取り付けても良いし、予め仮設排水用に設けてある取付パイプ４に単に樹脂製筒状シート３の端部を被せて止めるだけでも良く、施工が極めて簡単に行える。
【００３４】
しかも、この被嵌止めは樹脂製筒状シート３の端部を被せて紐やワイヤーを巻き付けたり、テープ止着しても良いが、予めこの樹脂製筒状シート３の端部に止着手段を設けている方が施工が簡単で商品価値も向上する。
【００３５】
また、例えばこの止着手段として雌雄テープ６を設け、この雌雄テープ６を互いに引き寄せるなどして樹脂製筒状シート３の端部の径を開口部の開口縁から下方に設けた切り込み９を介して（あるいは切り込みを設けなくとも折り込むようにするなどして）、狭めるようにして締め付け被嵌止めするように構成すれば、ワンタッチで被嵌止めが行え、極めて施工が容易となり実用性に秀れる。
【００３６】
また、この場合雨水をやや外側へ落下させるために付設されていたＬ字状のパイプを取付パイプ４として採用し、この取付パイプ４の水平屈曲部分毎被嵌止めするようにすれば、十分に締め付けなくても被嵌止めすれば容易に固定でき、多少樹脂製筒状シート３を引っ張っても風を受けてもこの屈曲部が係止作用を果たし、容易に引き取れない状態（抜き外れない状態）に簡単にワンタッチで取り付けできることとなる。
【００３７】
また、本発明は、樹脂製筒状シート３を柔軟性を有するビニールシートによる袋状体で構成したため、単に地面に接地するように吊り下げるだけで泥跳ねなどによる従来の問題を容易に解決でき、また所望の場所へ導くことも容易に行える。
【００３８】
しかも、量産性に秀れると共に、軽量で運搬・梱包も容易で、製作コストもかからず安価に提供できるなど極めて商品価値の高い画期的な仮設縦樋となり、前記問題を生じない画期的な縦樋の施工方法を実現できることとなる。
【００３９】
【実施例】
本発明の具体的な実施例について図面に基づいて説明する。
【００４０】
本実施例では、雨水を導水する長尺な柔軟性を有するビニール製筒状シート３は、二枚重合した袋状の偏平なもので、両端が開口した長尺袋状体に構成し、この重合シート間を雨水が流れ落ちるように構成している。
【００４１】
この樹脂製筒状シート３の筒径は、広げたときに雨樋１の集水部２に連通垂下する短尺な取付パイプ４の径より大きくしてこの取付パイプ４に被嵌し得るように設定し、この樹脂製筒状シート３の長さは、この端部を前記取付パイプ４に被嵌止めした際、地面に達する長さ以上の長さに設定し、現場で必要に応じて不要分を鋏でカットできるようにしている。
【００４２】
また、この被嵌止めは樹脂製筒状シート３の端部を被せて紐やワイヤーを巻き付けたり、テープ止着しても良いが、本実施例では予めこの樹脂製筒状シート３の端部に止着手段を設け施工が一層簡単となるようにしている。
【００４３】
具体的には、この止着手段として互いに着脱自在に止着する一対の雌雄テープ６を開口部の対向位置に設け、この雌雄テープ６を互いに引き寄せるなどして樹脂製筒状シート３の端部の径を開口部の開口縁から下方に設けた切り込み９を介して狭めるようにして締め付け被嵌止めできるように構成し、ワンタッチで被嵌止めが行え、極めて施工が容易となるように構成している。
【００４４】
また、本実施例では、ストレートパイプにエルボを付設するなどして、下方がやや水平屈曲突出しているＬ字状のパイプを取付パイプ４として採用し、この取付パイプ４の水平屈曲部分毎被嵌止めするように構成し、十分に締め付けなくても雌雄テープ６を引き寄せて開口径を狭め被嵌止めするだけで容易に固定でき、多少樹脂製筒状シート３を引っ張っても風を受けてもこの屈曲部が係止作用を果たし、容易に引き取れない状態（抜き外れない状態）に簡単にワンタッチで取り付けできるようにしている。
【００４５】
また、風のバタ付きや、あるいは所望の場所へ樹脂製筒状シート３を配設し得るように吊支持部材８などを介して樹脂製筒状シート３の適所に吊孔７を設け、この吊孔７を適宜な箇所に引っ掛けて支持したり、あるいはワイヤーやロープをこの吊孔７に通して吊り下げ支持できるようにしている。
【００４６】
この吊支持部材８は、紙などの板状部材で構成し、この板状部材に工事者が良く使用するロープを通すことができるように１５ｍｍ程度の吊孔７を形成し、またこの板状部材の取付縁部は、樹脂製筒状シート３の縁部に挟み込み被嵌するようにし、この挟み部の内面に両面テープを設け、樹脂製筒状シート３の適所に簡単に吊支持部材８を止着して吊孔７を設けられるように構成している。
【００４７】
この吊孔７によって例えば足場と樹脂製筒状シート３とをロープで結んで振れ止めしても良いし、前述のように樹脂製筒状シート３の適所を吊り上げ支承して樹脂製筒状シート３の末端を所望の場所へ導くように配設固定しても良い。
【００４８】
尚、本発明は、本実施例に限られるものではなく、各構成要件の具体的構成は適宜設計し得るものである。
【００４９】
【発明の効果】
本発明は上述のように構成したから、これまでやむを得ないとされてきた落下雨水の跳ねや泥跳ねはほとんどなくなり、土台部や外壁部を雨で汚すことが簡単に防止できることとなり、しかも取り付けも簡単に行え、量産性に秀れると共に、軽量で運搬・梱包も容易で、製作コストもかからず安価に提供できるなど極めて商品価値の高い画期的な仮設縦樋を実現でき、また前記問題を生じない画期的な縦樋の施工方法を実現できることとなる。
【００５０】
また、請求項３記載の発明においては、例えば折り畳みが容易でかさばらないなど運搬・保管が一層容易となると共に、雨水は取付パイプから直に直接地面へ落下することなく、樹脂製筒状シート内に必ず触れつつ（伝え）落下するため雨滴の落下速度は自由落下に比して弱まり、たとえ樹脂製筒状シートの末端から地面へ排水されても雨水が跳ねたり、泥が跳ねたりすることはなく一層秀れた仮設縦樋となる。
【００５１】
また、請求項４記載の発明においては、簡易な構成にして一層取り付けが容易となる極めて実用性に秀れた仮設縦樋となる。
【００５２】
また、請求項５記載の発明においては、風によるバタ付きを容易に防止できると共に、所望の場所へ導水排水することも容易となる一層実用性に秀れた仮設縦樋となる。特に請求項６記載の発明においては、適宜な箇所に容易に吊孔を設けることができ、一層実用性に秀れた仮説縦樋となる。
【００５３】
また、請求項７，８記載の発明においては、取付パイプの水平屈曲部分毎被嵌止めするようにすれば、十分に締め付けなくても被嵌止めすれば容易に固定でき、多少樹脂製筒状シートを引っ張っても風を受けてもこの屈曲部が係止作用を果たし、容易に引き取れない状態（抜き外れない状態）に簡単にワンタッチで取り付けできることとなり、極めて施工性に秀れた画期的な仮設縦樋となる。
【図面の簡単な説明】
【図１】本実施例の使用状態を示す説明図である。
【図２】本実施例の斜視図である。
【図３】本実施例の取り付け部分を示す使用状態での要部の拡大斜視図である。
【符号の説明】
１  雨樋
２  集水部
３  樹脂製筒状シート（ビニール製筒状シート）
４  取付パイプ
５  取付被嵌部
６  雌雄テープ
７  吊孔
８  吊支持部材
【図１】
2004150213.tif 000003
【図２】
2004150213.tif 000004
【図３】
2004150213.tif 000005